(57)【要約】【課題】開封が衛生的でしかも容易で、毎回の使用もし易く液切れが良く周辺に付着せず、再シール性に優れ、部品点数も少ない押出容器用蓋を提供する。【解決手段】頂板に内容液の注出筒を立設し押出容器の口部に取り付けた中蓋と、この中蓋に着脱自在に螺着し注出筒を塞ぐ筒状栓を天壁内面に設けた上蓋とからなり、中蓋の注出筒は小径にして内容液の注出後に押出容器の空気戻りによる内容液の切れを可能とし、且つ注出筒は破断可能な脆弱部及びこれを破断して開封し注出筒から延出した開封具を設けた内部蓋を有し、開封具はその延出部分を上蓋の筒状栓８内に収納することで、開封具で容易に開封でき、注出筒の小径を実現して、エアーバック効果による内容液の切れを実現する。【選択図】　　　図１
2004051119.tif 000002
【特許請求の範囲】
【請求項１】
頂板に内容液の注出筒を立設し押出容器の口部に取り付けた中蓋と、該中蓋に着脱自在に螺着し前記注出筒を塞ぐ筒状栓を天壁内面に設けた上蓋とからなり、前記中蓋の注出筒は小径にして、且つ前記注出筒は破断可能な脆弱部及びこれを破断して開封すると共に、前記注出筒から延出した開封具を設けた閉塞板を有し、前記開封具はその延出部分を前記上蓋の筒状栓内に収納するようにしたことを特徴とする押出容器用蓋。
【請求項２】
前記注出筒の内径は６ｍｍないし１３ｍｍの範囲にある請求項１記載の押出容器用蓋。
【請求項３】
前記開封具はその長さが前記注出筒の内径の１．５倍以上である請求項１又は２記載の押出容器用蓋。
【請求項４】
前記開封具は閉塞板から支柱を介して斜め上方に伸びる楕円形状のプルリングである請求項１ないし３のいずれか１項記載の押出容器用蓋。
【請求項５】
前記開封具は閉塞板周縁の対向する位置から上方に伸びるＵ字状のプルリングである請求項１ないし３のいずれか１項記載の押出容器用蓋。
【請求項６】
前記注出筒は錐形をなし先端がラッパ状注出部となっている請求項１ないし５のいずれか１項記載の押出容器用蓋。
【請求項７】
前記筒状栓はその全周端が前記ラッパ状注出部に当接してなる請求項６記載の押出容器用蓋。
【発明の詳細な説明】
【０００１】
【発明の属する技術分野】
本発明は、ドレッシング、マヨネーズ、ケチャップ、焼肉のタレ等のように粘稠な内容液を収容する容器に使用する押出容器用蓋に関し、より詳しくは、頂板に小径とした内容液の注出筒を立設し押出容器の口部に取り付けた中蓋と、これに着脱自在に螺着し注出筒を塞ぐ筒状栓を天壁内面に設けた上蓋とからなる押出容器用蓋に関する。
【０００２】
【従来の技術】
従来のこの種の押出容器用蓋は、図６に示すように、頂板ａの中央部に内容液の注出筒ｂを立設し押出容器ｃの口部ｄに着脱可能に螺着する中蓋ｅと、この中蓋ｅの注出筒ｂを自在に開閉する栓ｆと、この中蓋ｅの頂板ａの周縁部に立設した全周壁ｇに着脱自在に係合し且つ注出筒ｂを覆う天板ｈを有する上蓋ｉとからなるものである。この押出容器用蓋は、押出容器ｃ内にドレッシング等の内容液を充填し、口部ｄの天面にシール材ｊを貼ったあとに押出容器ｃの口部ｄに装着して使用されるものであり、中蓋ｅを押出容器ｃの口部ｄに螺着し、更にこの中蓋ｅの全周壁ｇに上蓋ｉを係合することで、最終製品とされる。
【０００３】
このような最終製品を使用するには、口部ｄから押出容器用蓋を螺脱し、シール材ｊを剥ぎ取り、再び口部ｄに押出容器用蓋を螺着し上蓋ｉを外し更に注出筒ｂから栓ｆも外し、押出容器ｃを手指で押圧して内容液を注出するようになっている。内容液を取り出したあと、注出筒ｂに栓ｆをし更に中蓋ｅの全周壁ｇに上蓋ｉを嵌合する。この押出容器用蓋は、使用時に口部ｄの天面のシール材ｊを剥ぎ取りを行う必要があって、不用意に行うと内容液が飛び散る虞があるし、また衛生的でもないことから、上記のようなシール材ｊの剥ぎ取りのない容器蓋も知られている。
【０００４】
すなわち、この容器蓋は、図７に示すように、頂板ａの中央部に内容液の注出口ｂ１を立設し容器ｃ１の口部ｄに着脱可能に螺着する中蓋ｅ１と、この中蓋ｅ１の頂板ａの周縁部に立設した全周壁ｇに着脱自在に係合し且つ注出口ｂ１を塞ぐ筒状栓ｋを天板ｈ内面に設けた上蓋ｉ１とからなり、この注出口ｂ１は比較的大きく、破断可能な脆弱部ｌ及びこれを破断して開封するプルリングｍを設けた内部蓋ｎを有するものである。そして、プルリングｍに指を掛けて引き脆弱部ｌを破断して内部蓋ｎを開封する。
【０００５】
また、図８に示した容器蓋（実公昭４６−８８７７号公報参照）は、頂板ａの中央部に内容液の注出筒ｂ２を立設し容器ｃ２の口部ｄ内周面に嵌着する中蓋ｅ２と、容器ｃ２の口部ｄ外周面に嵌着し中蓋ｅ２の頂板ａの周縁部に立設した全周壁ｇに着脱自在に係合して且つヒンジ連結した上蓋ｉ２とからなり、この注出筒ｂ２の先端部内に開封凸部ｍ１を設けた内部蓋ｎ１を有するものである。そして、開封凸部ｍ１を指にて押し破断して内部蓋ｎ１を開封する。
【０００６】
【発明が解決しようとする課題】
図６の押出容器用蓋は、中蓋ｅの注出筒ｂは小径にして内容液の注出後に押出容器ｃによる空気戻りにより内容液切れを良好とする特徴はあるが、この構造では、部品点数が多くなり、毎回の使用に栓ｆ及び上蓋ｉの着脱をしなければならないという煩わしさがあり、また栓ｆの紛失や緩みによる密封性の不安が残る上に、更に上述の使用時のシール材ｊの剥ぎ取りによる不都合もある。
【０００７】
また、図７の容器蓋は、注出口ｂ１が比較的大きいため、プルリングｍを相対的に大きくすることが可能ではあるが、少量の内容物を押出しで流出するようなタイプには使用できない。
【０００８】
また、図８の容器蓋は、使用時に開封凸部ｍ１を指にて押し破断して内部蓋ｎ１を開封するものであるから、使用時のシール材ｊの剥ぎ取りによる不都合はないものの、開封時に開封凸部ｍ１及び内部蓋ｎ１を取り除きにくく、また開封凸部ｍ１及び内部蓋ｎ１が容器ｃ２内に落下する虞がある。更にヒンジ連結した上蓋ｉ２があるが、注出筒ｂ２を塞ぐものがないためリシール性がないという問題がある。
【０００９】
そこで、本発明の目的は、注出筒の内径が小径であるにもかかわらず、開封が衛生的でしかも容易であり、不注意による内容液の漏れもなく、毎回の使用もし易く内容液の切れが良く、周辺に付着せずにリシール性に優れ、かつ、部品点数も少なく出来る押出容器用蓋を提供することにある。
【００１０】
【課題を解決するための手段】
本発明は、上記目的を達成するために提案されたものであって、下記の構成からなることを特徴とするものである。
すなわち、本発明によれば、頂板に内容液の注出筒を立設し押出容器の口部に取り付けた中蓋と、該中蓋に着脱自在に螺着し前記注出筒を塞ぐ筒状栓を天壁内面に設けた上蓋とからなり、前記中蓋の注出筒は小径にして、且つ前記注出筒は破断可能な脆弱部及びこれを破断して開封すると共に、前記注出筒から延出した開封具を設けた閉塞板を有し、前記開封具はその延出部分を前記上蓋の筒状栓内に収納するようにしたことを特徴とする押出容器用蓋が提供される。
【００１１】
また、本発明によれば、前記注出筒の内径は６ｍｍないし１３ｍｍの範囲にある上記押出容器用蓋が提供される。
【００１２】
また、本発明によれば、前記開封具はその長さが前記注出筒の内径の１．５倍以上である上記押出容器用蓋が提供される。
【００１３】
また、本発明によれば、前記開封具は閉塞板から支柱を介して斜め上方に伸びる楕円形状のプルリングである上記押出容器用蓋が提供される。
【００１４】
また、本発明によれば、前記開封具は閉塞板周縁の対向する位置から上方に伸びるＵ字状のプルリングである上記押出容器用蓋が提供される。
【００１５】
また、本発明によれば、前記注出筒は錐形をなし先端がラッパ状注出部となっている上記押出容器用蓋が提供される。
【００１６】
また、本発明によれば、前記筒状栓はその全周端が前記ラッパ状注出部に当接してなる上記押出容器用蓋が提供される。
【００１７】
【発明の実施の形態】
以下に、図面を参照して本発明の実施の形態を説明する。
図１は本発明の実施の形態を示す押出容器用蓋を押出容器に嵌着した状態の断面図、図２は本発明の実施の形態を示す押出容器用蓋の閉塞板とプルリングの位置関係を示す説明図、図３は本発明の実施の形態を示す押出容器用蓋の上蓋の斜視図である。
図面において、押出容器用蓋１は、頂板２に内容液３の注出筒４を立設し押出容器５の口部６に取り付けた中蓋７と、この中蓋７に着脱自在に螺着し注出筒４を塞ぐ筒状栓８を天壁９内面に設けた上蓋１０とからなり、中蓋７の注出筒４は小径にして内容液３の注出後に押出容器５の空気戻りによる内容液の切れを可能とし、且つ注出筒４は破断可能な脆弱部１１及びこれを破断して開封すると共に、注出筒４から延出した開封具１２を脆弱部１１１内に設けた閉塞板１３を有し、開封具１２はその延出部分を上蓋１０の筒状栓８内に収納するようにしたものである。
【００１８】
前記押出容器５は、上から順次前記口部６、胴部２０及び底部（図示せず）を有し、口部６に取付凸部２１を設けており、手指で主に胴部２０を押圧することにより容易に変形し、内容液３を口部６から押し出すことが出来るものである。内容液３は、ドレッシング、マヨネーズ、ケチャップ、焼肉のタレ等の調味料で比較的粘稠なものが最適であるが、これに限定されるものではなく、また、食品以外にも適用できる。この押出容器５内に内容液３を充填したあと、直ちに口部６に中蓋７を取り付け密封し、外部からの汚染と外力による内容液３のこぼれを防止する。
【００１９】
前記押出容器用蓋１の中蓋７は、前記押出容器５の口部６の取付凸部２１に沿う凸部２２を内側に設けた外筒２３を、頂板２の下面に有し、この外筒２３の内側に内筒２４を同心的に配して、口部６を挟み込むように密着し内容液３を漏れないようにしている。一方、頂板２の上面にはその外周面にネジが螺刻された筒状部２５が注出筒４の外側に同心的に設けられている。この筒状部２５のネジに沿うネジが後に詳述する上蓋１０のインナーリング４４に螺刻され、上蓋１０は中蓋７に着脱自在に螺着可能となっている。
【００２０】
前記中蓋７の前記注出筒４は、下部が円錐台部３０で縮径して行きそれに連なる上部は小径となった円筒部３１であり、更にその先端は液切れを良好にするために薄肉としたラッパ状注出部３２にしている。注出筒４の円筒部３１の内径は、内容液３の注出後に押出容器５の空気戻りによる内容液３の切れを可能とする内径に設定する。なお、注出筒４の内径とは、注出筒４上方の最も狭い部分の径、つまり、最内径を意味する。
【００２１】
本発明者らの実験によれば、注出筒４の円筒部３１の内径は、目安として６ｍｍないし１３ｍｍの範囲にあるのが良く、最低値の６ｍｍ未満では内容液３の切れは良いが、開封具１２を設けた内部蓋１３を設置するのが困難となり、最高値の１３ｍｍを超えるものでは内部蓋１３を設置するのが容易となるが、空気戻りによる内容液３の切れを期待することが出来なくなる。より好ましい注出筒４の円筒部３１の内径は、８ｍｍないし１０ｍｍの範囲である。
【００２２】
前記閉塞板１３は、注出筒４の円筒部３１内に配設され、周縁部には前記脆弱部１１が設けられ、脆弱部１１の内側周縁には開封具１２が取り付けられている。この開封具１２は、図１、２では閉塞板から支柱を介して斜め上方に伸びる楕円形のプルリング１２ａであり、このプルリング１２ａは注出筒４の円筒部３１から上方に大きく延出し、指を掛け易くして、脆弱部１１を容易に破断して閉塞板１３を除去して開封することが出来る。このプルリング１２ａの長さは、好ましくは注出筒４の円筒部３１の内径の１．５倍以上である。
【００２３】
従って、上記した注出筒４の円筒部３１の内径の寸法からは、６ｍｍないし１３ｍｍの１．５倍以上、つまり、９ｍｍ以上であり、その上限は、容器の大きさや蓋の形状等からおのずと好適な寸法が定められる。最低値の９ｍｍ未満では前記上蓋１０の筒状栓８内に収納することが容易となるが、プルリング１２ａに指を掛けたり、つまんだりするのが困難となる。このように閉塞板１３があることにより、図６の従来例のように一旦口部ｄから中蓋ｅを取り外し、シール材ｊを剥ぎ取り、再び口部ｄに押出容器用蓋を取り付ける必要がないから、内容液３が飛び散る虞がなく、衛生的でもあり、開封も極めて容易である。なお、この例では開封具１２は楕円形のプルリング１２ａとしたが、これに限定されずに、屈曲部を介して上方に伸びるような形状であってもよい。
【００２４】
前記上蓋１０は、開封後に注出筒４を筒状栓８によりリシールして、押出容器５内の内容物３を漏れないようにし、中蓋７及び押出容器５の口部６を覆いこれらの外部汚染を防ぐものであり、その形状は上部の半卵状ドーム４０に段差４１を経て下部が円筒体４２としたものである。この段差４１は、図３に示すようにウエーブをなし、意匠的にすぐれており、加えて、収縮フィルムによる前記押出容器用蓋１及び押出容器５のシールやそのシールを兼ねたシュリンクラベルの上部引っ掛かりに有効に働く。上蓋１０の円筒体４２は、前記押出容器５の口部６と胴部２０との間にある段差４３に嵌められるように形成されている。一方、半卵状ドーム４０内の筒状栓８の外側の天壁９にインナーリング４４が同心的に設けられ、このインナーリング４４の内周面には既に述べたように中蓋７の筒状部２５のネジに沿うネジが螺刻され、上蓋１０は中蓋７に着脱自在に螺着されるようになっている。
【００２５】
これに伴い、半卵状ドーム４０内の筒状栓８は、その下端全周が前記中蓋７の注出筒４のラッパ状注出端３２に当接することになり、これによりシール性がすぐれたものになる。特に、このラッパ状注出端３２は、薄肉に形成されているから、上蓋１０が中蓋７に螺着される際の締め付け度合によりシール性を調節出来、そのシール性が不十分であれば締め増しを行うことで対応が可能となり、内容液３の漏れを完全に防ぐことが出来る。その一方で、筒状栓８はその空間内が中蓋７のプルリング１２ａの収納場所を提供している。また、シール性を考慮して、筒状栓８を円周部３１の内周面と係合するように設けてもよい。
【００２６】
次に、上記構成になる押出容器用蓋１の使用方法について説明する。
まず、予定した内容物３の種類・性質に沿う押出容器５及び押出容器用蓋１を選択し、押出容器５内に例えばドレッシング等の内容液３を入れ、押出容器５の口部６に中蓋７を取り付け、更にその中蓋７に上蓋１０を螺着する。そして、必要により収縮フィルム等を用いてな包装を施し、最終製品とする。
【００２７】
ユーザーは消費に際して、包装を除去し中蓋７から上蓋１０を螺脱する。次に、プルリング１２ａを指に掛けたりつまんだりして引っ張って、内部蓋１３を除去して開封する。この際、楕円形のプルリング１２ａを上から押すと楕円形のプルリングが左右に広がり、指が掛かりやすくなる。押出容器５の胴部２０を手指で押圧すれば、中蓋７の注出筒４のラッパ状注出部３２から内容液３を注出することが出来る。注出し終わると、ラッパ状注出部３２は薄肉に形成されているため、内容液３の切れが良く外に垂れず、ラッパ状注出部３２上の内容液３は、エアーバック効果、すなわち、押出容器５が元の形状に戻ろうとして注出筒４から空気を吸い込むから、空気と共に内容液３も押出容器５内に引き込まれ、残る事がない。その後、中蓋７に上蓋１０を螺着すれば、筒状栓８の全周端がラッパ状注出部３２に当接してシールされ、その際、シール性が不十分であれば締め増しを行うことで対応して、内容液３の漏れを完全に防ぐことが出来る。
【００２８】
図４、５は、本発明の他の実施の形態である押出容器用蓋を示すもので、この押出容器用蓋１ａと図１ないし３の実施形態との相違点は、中蓋７の注出筒４に設置した閉塞板１３に設けた開封具１２が、閉塞板の周縁の対向する位置から上方に伸びるＵ字形のプルリング１２ｂであり、上蓋１０の筒状栓８ａの全周端がラッパ状注出部３２内に深く入り込むような状態で当接して、押出容器５に不用意に外力がかかっても内容液３が漏れないようにした点である。その他の構成、及び作用は図１ないし３の実施形態と同様なので、図面に符号を付してその詳細な説明を省略する。
【００２９】
以上、本発明の実施形態を説明したが、具体的な構成はこれに限定されず、本発明の要旨を逸脱しない範囲での変更や組み合わせは適宜なし得るものと理解すべきである。
【００３０】
【発明の効果】
以上詳述したように、本発明によれば、中蓋の注出筒内及び上蓋の筒状栓内に操作可能な開封具を収納してあるから、中蓋から上蓋を螺脱すれば開封具にて小径にした注出筒内の内部蓋を開封出来、押出容器をスクイズして内容液を出したあとのエアーバック効果で、注出筒上の内容液の切れを促進させ、中蓋に上蓋を螺着させれば、上蓋の筒状栓が内容液をかまずに中蓋の注出筒を塞いで内容液の漏れを止める。従って、開封が衛生的でしかも容易であり、不注意による内容液の漏れもなく、毎回の使用もし易く、内容液の切れが良くて周辺に付着せず汚さず、再シール性にも優れ、加えて部品点数も少なく出来る効果がある。
また、注出筒の径を６ｍｍないし１２ｍｍの範囲にすることにより、注出筒は十分エアーバック効果を期待でき、且つ操作可能な開封具付きの内部蓋を注出筒に設置できる。
また、開封具の長さを注出筒の内径の１．５倍以上にすることにより、開封具に指を掛けたり、つまんだりすることが出来て、支障なく開封できる。
さらに、開封後に中蓋に上蓋を螺着することにより、筒状栓はその全周端がラッパ状注出部に当接してシールするため、シール強さを任意に調整出来てシール漏れが生じない。
【図面の簡単な説明】
【図１】本発明の実施の形態を示す押出容器用蓋を押出容器に螺着した状態の断面図である。
【図２】本発明の実施の形態を示す押出容器用蓋のプルリングの断面図である。
【図３】本発明の実施の形態を示す押出容器用蓋の上蓋の斜視図である。
【図４】本発明の他の実施の形態を示す図１と同状の断面図である。
【図５】本発明の他の実施の形態を示す図２と同状の断面図である。
【図６】従来例を示す図１と同状の断面図である。
【図７】従来例を示す図１と同状の断面図である。
【図８】従来例を示す図１と同状の断面図である。
【符号の説明】
１，１ａ　　　　　　　　　押出容器用蓋
２，ａ　　　　　　　　　　頂板
３　　　　　　　　　　　　内容液
４，ｂ，ｂ２　　　　　　　注出筒
５，ｃ　　　　　　　　　　押出容器
６，ｄ　　　　　　　　　　口部
７，ｅ，ｅ１，ｅ２　　　　中蓋
８，８ａ，８ｂ，ｋ　　　　筒状栓
９　　　　　　　　　　　　天壁
１０，ｉ，ｉ１〜ｉ３　　　上蓋
１１，ｌ　　　　　　　　　脆弱部
１２　　　　　　　　　　　開封具
１２ａ，１２ｂ，ｍ　　　　プルリング
１３，ｎ，ｎ１　　　　　　閉塞板
２０　　　　　　　　　　　胴部
２１　　　　　　　　　　　取付凸部
２２　　　　　　　　　　　凸部
２３　　　　　　　　　　　外筒
２４　　　　　　　　　　　内筒
２５　　　　　　　　　　　筒状部
３０　　　　　　　　　　　円錐台部
３１　　　　　　　　　　　円筒部
３２　　　　　　　　　　　ラッパ状注出部
４０　　　　　　　　　　　半卵状ドーム
４１，４３　　　　　　　　段差
４２　　　　　　　　　　　円筒体
４４　　　　　　　　　　　インナーリング
ｂ１　　　　　　　　　　　注出口
ｆ　　　　　　　　　　　　栓
ｇ　　　　　　　　　　　　全周壁
ｈ　　　　　　　　　　　　天板
ｊ　　　　　　　　　　　　シール材
ｃ１，ｃ２　　　　　　　　容器
ｍ１　　　　　　　　　　　開封凸部
【図１】
2004051119.tif 000003
【図２】
2004051119.tif 000004
【図３】
2004051119.tif 000005
【図４】
2004051119.tif 000006
【図５】
2004051119.tif 000007
【図６】
2004051119.tif 000008
【図７】
2004051119.tif 000009
【図８】
2004051119.tif 000010
【手続補正書】
【提出日】平成14年7月17日(2002.7.17)
【手続補正１】
【補正対象書類名】明細書
【補正対象項目名】特許請求の範囲
【補正方法】変更
【補正の内容】
【特許請求の範囲】
【請求項１】
頂板に内容液の注出筒を立設し押出容器の口部に取り付けた中蓋と、該中蓋に着脱自在に螺着し前記注出筒を塞ぐ筒状栓を天壁内面に設けた上蓋とからなり、前記中蓋の注出筒は小径にして、且つ前記注出筒は破断可能な脆弱部及びこれを破断して開封すると共に、前記注出筒から延出した開封具を設けた閉塞板を有し、前記開封具はその延出部分を前記上蓋の筒状栓内に収納するようにしたことを特徴とする押出容器用蓋。
【請求項２】
前記注出筒の内径は６ｍｍないし１３ｍｍの範囲にある請求項１記載の押出容器用蓋。
【請求項３】
前記開封具はその長さが前記注出筒の閉塞板の接続部の内径の１．５倍以上である請求項１又は２記載の押出容器用蓋。
【請求項４】
前記開封具は閉塞板から支柱を介して斜め上方に伸びる楕円形状のプルリングである請求項１ないし３のいずれか１項記載の押出容器用蓋。
【請求項５】
前記開封具は閉塞板周縁の対向する位置から上方に伸びるＵ字状のプルリングである請求項１ないし３のいずれか１項記載の押出容器用蓋。
【請求項６】
前記注出筒は錐形をなし先端がラッパ状注出部となっている請求項１ないし５のいずれか１項記載の押出容器用蓋。
【請求項７】
前記筒状栓はその全周端が前記ラッパ状注出部に当接してなる請求項６記載の押出容器用蓋。
【手続補正２】
【補正対象書類名】明細書
【補正対象項目名】００１２
【補正方法】変更
【補正の内容】
【００１２】
また、本発明によれば、前記開封具はその長さが前記注出筒の閉塞板の接続部の内径の１．５倍以上である上記押出容器用蓋が提供される。


【手続補正３】
【補正対象書類名】明細書
【補正対象項目名】００２０
【補正方法】変更
【補正の内容】
【００２０】
前記中蓋７の前記注出筒４は、下部が円錐台部３０で縮径して行きそれに連なる上部は小径となった円筒部３１であり、更にその先端は液切れを良好にするために薄肉としたラッパ状注出部３２にしている。注出筒４の円筒部３１の内径は、内容液３の注出後に押出容器５の空気戻りによる内容液３の切れを可能とする内径に設定する。なお、注出筒４の内径とは、注出筒４上方の最も狭い部分である閉塞板１３の接続部の内径、つまり、最内径を意味する。


【手続補正４】
【補正対象書類名】明細書
【補正対象項目名】００２２
【補正方法】変更
【補正の内容】
【００２２】
前記閉塞板１３は、注出筒４の円筒部３１内に配設され、周縁部には前記脆弱部１１が設けられ、脆弱部１１の内側周縁には開封具１２が取り付けられている。この開封具１２は、図１、２では閉塞板から支柱を介して斜め上方に伸びる楕円形のプルリング１２ａであり、このプルリング１２ａは注出筒４の円筒部３１から上方に大きく延出し、指を掛け易くして、脆弱部１１を容易に破断して閉塞板１３を除去して開封することが出来る。このプルリング１２ａの長さは、好ましくは注出筒４の円筒部３１の閉塞板１３の接続部の内径の１．５倍以上である。


【手続補正５】
【補正対象書類名】明細書
【補正対象項目名】００２３
【補正方法】変更
【補正の内容】
【００２３】
従って、上記した注出筒４の円筒部３１の閉塞板の接続部の内径の寸法からは、６ｍｍないし１３ｍｍの１．５倍以上、つまり、９ｍｍ以上であり、その上限は、容器の大きさや蓋の形状等からおのずと好適な寸法が定められる。最低値の９ｍｍ未満では前記上蓋１０の筒状栓８内に収納することが容易となるが、プルリング１２ａに指を掛けたり、つまんだりするのが困難となる。このように閉塞板１３があることにより、図６の従来例のように一旦口部ｄから中蓋ｅを取り外し、シール材ｊを剥ぎ取り、再び口部ｄに押出容器用蓋を取り付ける必要がないから、内容液３が飛び散る虞がなく、衛生的でもあり、開封も極めて容易である。なお、この例では開封具１２は楕円形のプルリング１２ａとしたが、これに限定されずに、屈曲部を介して上方に伸びるような形状であってもよい。